(57)【要約】【課題】踏みつけにより表面材に亀裂の発生がなく、軟質発泡体が表面材より滲み出すことのない電気カーペットを提供する。【解決手段】発熱体２と、前記発熱体２を覆う軟質発泡体９からなる本体と、この本体の表面に熱延伸処理を施した糸条を経糸と緯糸として織編成した物を基材１３とし、さらに樹脂層１２Ａ、１２Ｂを塗布し、前記基材１３の内側面に非浸透性の単一樹脂層１４を配する構成とした裏布１０を配した。【選択図】　図１
2004012075.tif 000002
【特許請求の範囲】
【請求項１】
発熱体と、前記発熱体を覆う軟質発泡体からなる本体と、前記本体の両外側面叉は片側面に、熱延伸処理された糸条を経糸と緯糸として織編成し表面に樹脂層を塗布した基材と、前記基材の本体内側樹脂層を介して配する非浸透性の単一樹脂層により構成する表面材を備えてなる電気採暖具。
【請求項２】
単一樹脂層と軟質発泡体との接着面にコロナ放電処理を施した構成とした請求項１に記載の電気採暖具。
【請求項３】
織編成された基材に塗布された樹脂層の外側面に微細な凹凸処理を施した構成とした請求項１または２に記載の電気採暖具。
【請求項４】
織編成された基材に塗布された樹脂層には滑り止め効果を有する樹脂を使用した構成とした請求項１または２に記載の電気採暖具。
【発明の詳細な説明】
【０００１】
【発明の属する技術分野】
本発明は、電気カーペット等の電気採暖具に関するものである。
【０００２】
【従来の技術】
従来の電気カーペット等の電気採暖具は、一般的には図５に示す様にフェルト等の繊維質の断熱材１にコード状のチュビングヒータ等の発熱体２を均一に配設し、その上に熱融着シート３、不織布等の表布４を配置して熱プレスにより熱融着シート３を溶かしつつ断熱材１と表布４を圧着して発熱体２を固定する構成となっている。また、熱融着シート３の代わりに接着剤を使用して断熱材１と表布４を単に圧着して発熱体２を固定する構成のものもある。
【０００３】
しかしながら、従来の電気採暖具では、熱プレスによる圧着だけでは発熱体を断熱材に沈み込ますことができないため、表布の表面に発熱体の形が浮き出てしまう。
【０００４】
そこで、図６に示すように、架橋ポリエチレン発泡体よりなる発泡シート５に配線溝６を設け、この配線溝６に発熱体７を敷設した後、表面に被覆材８を被着した構成が考えられる。
【０００５】
また、図６の構成では、発泡シート５は発泡体で有るために上から人が踏み込んだりすると、裏面は発泡シート５がむき出しで有るために破れが容易に発生していた。その為に図７に示すように裏面にも不織布等の繊維質の裏布１０を取り付ける構成とした。
【０００６】
【発明が解決しようとする課題】
しかしながら、前記従来の不織布では、繊維に方向性が有るため、引き裂き強度が弱く、桟等の段差で上面から踏みつけられた場合通常の不織布では亀裂が発生していた。
【０００７】
また、軟質発泡体９の発泡の途中段階では、金型内の発泡圧により不織布（ニードルパンチ）等の繊維で出来ている浸透性のある基材で構成される表布４、裏布１０では表面外側に軟質発泡体９が滲み出し非常に見栄えの悪い物となっていた。また滲み出しによる凹凸が有るために、凹凸にゴミがたまり掃除がしにくい物であった。さらに滲み出した凹凸が摩擦によりはがれゴミとなると言う様な問題を有していた。
【０００８】
さらに、この問題の解決のため、裏布として、熱延伸処理されたフラットヤーン（糸条）を経糸と緯糸として織編成された基材に樹脂を塗布する構成とした電気採暖具が考案されたが、塗布する樹脂量のばらつきにより、樹脂の滲み出しが発生するため、塗布する樹脂量の管理が必要であり、また熱延伸処理されたフラットヤーン（糸条）を経糸と緯糸として織編成された基材の凹凸が軟質発泡体９の金型内への充填時における流動性向上の阻害要因となると言う問題を有していた。
【０００９】
本発明は、前記従来の課題を解決するもので、踏みつけにより表面材に亀裂の発生がなく、軟質発泡体が表面材より滲み出すことのない電気カーペットを提供するものである。
【００１０】
【課題を解決するための手段】
前記従来の課題を解決するために、本発明の電気採暖具は、発熱体と、前記発熱体を覆う軟質発泡体からなる本体と、前記本体の両外側面叉は片側面に熱延伸処理されたフラットヤーン（糸条）を経糸と緯糸として織編成し、表面に樹脂層を塗布した基材と、前記基材の本体内側樹脂層を介して配する非浸透性の単一樹脂層により構成する表面材を備えたもので、桟等の段差で上面から踏みつけられた場合でも、裏布に亀裂が発生せず、内側面に配した単一樹脂層により、軟質発泡体が表面外側に滲み出してこず、見栄えの良い掃除の行い易い電気採暖具を提供できる。
【００１１】
【発明の実施の形態】
請求項１に記載の発明は、発熱体と、前記発熱体を覆う軟質発泡体からなる本体と、前記本体の両外側面叉は片側面に、熱延伸処理されたフラットヤーン（糸条）を経糸と緯糸として織編成し、表面に樹脂層を塗布した基材と、前記基材の本体内側樹脂層を介して配する非浸透性の単一樹脂層により構成するものである。
【００１２】
一般に樹脂は、熱延伸処理を施されると、機械的強度が格段に増す事が確認されており、本構成により、桟等の段差で上面から踏みつけられた場合でも、熱延伸処理を施している為に裏布に亀裂が発生せず、基材の内側面に単一樹脂層を構成することにより非浸透性としている為に軟質発泡体が表面外側に滲み出してこず、見栄えの良い掃除の行い易い電気採暖具を提供できる。
【００１３】
請求項２に記載の発明は、特に請求項１記載の基材の内側面に構成された単一樹脂層の軟質発泡体との接着面にコロナ放電処理を施すことにより、軟質発泡体と表面材との接着強度を得ることができる。
【００１４】
請求項３に記載の発明は、特に請求項１記載の織編成された基材に塗布された樹脂層の外側面に微細な凹凸処理を施すことにより、滑り止め効果を有することができ、フローリング等で使用した場合でも人が踏み込んだ時に移動しない使い勝手の良い電気採暖具を得ることができる。また、テカリのないデザイン性の良い電気採暖具を提供できる。
【００１５】
請求項４に記載の発明は、特に請求項１記載の織編成された基材に塗布された樹脂層には滑り止め効果を有する樹脂を使用することにより、フローリング等で使用した場合でも、人が踏み込んだ時に移動しない使い勝手の良い電気採暖具を得ることができる。
【００１６】
【実施例】
以下、本発明の実施例について図面を用いて説明する。
【００１７】
（実施例１）
図１は本発明の実施例１の電気採暖具の外観斜視図、図２は本発明の実施例１の電気採暖具の表面材に使用されている熱延伸処理されたフラットヤーン（糸条）を経糸と緯糸として織編成された基材の上面図、図３は本発明の実施例１の電気採暖具を示す断面構成図である。
【００１８】
図１において、熱源である発熱体２が軟質発泡体９に埋設固定されている。上面には、デザイン性の良いカバー１１がかぶせてある。図２は、熱延伸処理されたフラットヤーン（糸条）を経糸と緯糸として織編成された基材１３の上面図である。図３において、表布４に発熱体２が固定されており裏布１０との間に軟質発泡体９が挟まれている。表布４には、軟質発泡体９の発泡の途中段階で、金型内の発泡圧により軟質発泡体が滲み出さない様に非浸透性の樹脂層１２が塗布されている。裏布１０は、熱延伸処理を施され、機械的強度が十分にあるフラットヤーン（糸条）を経糸と緯糸として織編成された基材１３に非浸透性をもたせるためにピンホール等の無い外樹脂層１２Ａと内樹脂層１２Ｂが塗布された構成となっている。そして、内樹脂層１２Ｂの内側に単一樹脂層１４が構成されている。また、外樹脂層１２Ａは、滑り止め効果のあるぬめり性を有する樹脂を使用している。基材１３と外樹脂１２Ａの材質としては、ポリエチレン樹脂、ポリエステル樹脂、ナイロン樹脂等がある。表布４の上にあるカバー１１は、図示していない。
【００１９】
以上のように構成された電気採暖具について、以下その動作、作用を説明する。内樹脂層１２Ｂの内側に非浸透性の単一樹脂層１４が構成されている。また裏布１０の基材１３に熱延伸処理を施され、機械的強度が十分にあるフラットヤーン（糸条）を経糸と緯糸として織編成された物を使用した為桟等の段差で上面から踏みつけられた場合でも、裏布に亀裂が発生しない。また、軟質発泡体と接する面に単一樹脂層１４を設けることにより、金型内での発泡時に軟質発泡体の流動性を向上することができる。また外側からもお茶等をこぼしても、内部に浸透しない為、拭き取り易い防水防汚の電気採暖具が提供出来る。また滲み出しによる凹凸が無いために、凹凸にゴミがたまり掃除がしにくいと言う事がない。また、外樹脂層１２Ａに、滑り止め効果のあるぬめり性を有する樹脂を使用することにより、フローリング等で使用した場合でも、人が踏み込んだ時に移動しない使い勝手の良い電気採暖具が得られる。
【００２０】
さらに、裏布１０外側面に微細な凹凸処理を施すことにより、滑り止め効果を有することができ、フローリング等で使用した場合でも人が踏み込んだ時に移動しない使い勝手の良い電気採暖具が得られる。また、テカリのないデザイン性の良い電気採暖具を提供できる。
【００２１】
さらに、織編成された基材に塗布された樹脂層には摩擦力の大きい滑り止め効果を有する樹脂を使用することにより、フローリング等で使用した場合でも、人が踏み込んだ時に移動しない使い勝手の良い電気採暖具が得られる。
【００２２】
（実施例２）
図４は本発明の実施例２の電気採暖具の断面構成図である。
【００２３】
なお実施例１と同一符号のものは、同一構造を有し説明は省略する。なおカバーは図示していない。
【００２４】
図４において、裏布１０は、熱延伸処理を施され、機械的強度が十分にあるフラットヤーン（糸条）を経糸と緯糸として織編成された基材１３に外樹脂層１２Ａと内樹脂層１２Ｂが塗布された構成となっている。また内樹脂層１２Ｂの内側の単一樹脂層１４の軟質発泡体９との接着面には、コロナ放電処理が施されている。
【００２５】
コロナ放電処理は、処理処理面を物理的に凹凸に荒らすと共に、化学的に結合しやすくする効果が認められており、内樹脂層１２Ｂの内側の単一樹脂層１４の軟質発泡体９との接着面に、コロナ放電処理を施すことにより、裏布１０と軟質発泡体９の接着が強固になり、軟質発泡体９と裏布１０の接着性が良いため折り曲げ等により軟質発泡体９と裏布１０が外れて表面がデコボコにならず、裏布１０に皺の発生の無い電気採暖具が提供できる。
【００２６】
【発明の効果】
以上のように、本発明によれば、発熱体と、前記発熱体を覆う軟質発泡体からなる本体とを備え、前記本体の両外側面叉は片側面に、熱延伸処理されたフラットヤーン（糸条）を経糸と緯糸として織編成し、表面に樹脂層を塗布した基材と、前記基材の本体内側樹脂層を介して配する非浸透性の単一樹脂層により構成する表面材を配することにより、桟等の段差で上面から踏みつけられた場合でも、熱延伸処理を施している為に裏布に亀裂が発生せず、さらに基材の内側面に非浸透性の単一樹脂層を構成することにより軟質発泡体が表面外側に滲み出してこず、見栄えの良い掃除の行い易い電気採暖具を提供できる。
【図面の簡単な説明】
【図１】本発明の実施例１の電気採暖具の外観斜視図
【図２】本発明の実施例１の電気採暖具の基材の上面図
【図３】本発明の実施例１の電気採暖具の断面構成図
【図４】本発明の実施例２の電気採暖具の断面構成図
【図５】従来の電気採暖具の断面構成図
【図６】従来の電気採暖具の断面構成図
【図７】従来の電気採暖具の断面構成図
【符号の説明】
２　発熱体
９　軟質発泡体
１０　裏布（表面材）
１２Ａ　外樹脂層（樹脂層）
１２Ｂ　内樹脂層（樹脂層）
１３　基材
１４　単一樹脂層
【図１】
2004012075.tif 000003
【図２】
2004012075.tif 000004
【図３】
2004012075.tif 000005
【図４】
2004012075.tif 000006
【図５】
2004012075.tif 000007
【図６】
2004012075.tif 000008
【図７】
2004012075.tif 000009